(57)【特許請求の範囲】
【請求項１】
上下のドラムとこれらの間に設けられた炉壁とを有するボイラと、ボイラの外側で且つ上下のドラムに跨って設けられてボイラの炉壁を支持する左右の支持部材と、左右の支持部材間で且つ各ドラム内に設けられた上下の架橋部材と、から構成し、支持部材は、炉壁を摺動可能に支持するバックステーと、上下のドラムの間に設けられてバックステーを保持するビームと、各ドラムとビームとの間に設けられた屈折連結具とを備えていると共に、架橋部材は、左右の屈折連結具と一直線状に並ぶ様に配されている事を特徴とする２胴式ボイラの炉壁支持構造。
【発明の詳細な説明】
【０００１】
【発明の属する技術分野】
本発明は、例えばごみ焼却炉等に適用される２胴式ボイラの炉壁支持構造の改良に関する。
【０００２】
【従来の技術】
従来、この種の２胴式ボイラの炉壁支持構造としては、例えば図３に示すものが知られている。
【０００３】
当該炉壁支持構造５０は、上下のドラム５１とこれらの間に設けられた炉壁５２とを有するボイラ５３と、ボイラ５３の外側で且つ基礎面５４上に設けられてボイラ５３の炉壁５２を支持する架構５５と、から構成されて居り、所謂ボイラの外側に炉内ガス圧力を支持する架構を設ける構造であった。
【０００４】
然しながら、この様なものは、架構がボイラとは別の独立したものであったので、ボイラの伸縮を考慮した支持が必要であると共に、架構の為の基礎が必要であり、然も、架構がボイラより大きくなるので、それだけ過大な部材が必要であった。
【０００５】
この様な難点を解決するものとしては、例えば図４に示したものが知られている。
当該炉壁支持構造６０は、上下のドラム６１とこれらの間に設けられた炉壁６２とを有するボイラ６３と、ボイラ６３の外側で且つ上下のドラム６１に跨って設けられてボイラ６３の炉壁６２を支持する左右の支持部材６４と、から構成されて居り、所謂上下のドラムで炉内ガス圧力を支持する構造であった。
【０００６】
【発明が解決しようとする課題】
ところが、この様なものは、ドラムに水平方向の引張力又は圧縮力（水平力）が作用する為にドラムの厚さを厚くしたり、ドラムの外側に補強板等を設けて補強する必要があった。
【０００７】
本発明は、叙上の問題点に鑑み、これを解消する為に創案されたもので、その課題とする処は、ドラムの厚さを厚くしたり、ドラムの外側に補強板等を設けて補強する必要がない様にした２胴式ボイラの炉壁支持構造を提供するにある。
【０００８】
【課題を解決するための手段】
本発明の２胴式ボイラの炉壁支持構造は、基本的には、上下のドラムとこれらの間に設けられた炉壁とを有するボイラと、ボイラの外側で且つ上下のドラムに跨って設けられてボイラの炉壁を支持する左右の支持部材と、左右の支持部材間で且つ各ドラム内に設けられた上下の架橋部材と、から構成した事に特徴が存する。
【０００９】
ボイラの炉壁には、炉内ガス圧力（正圧又は負圧）が作用され、これは、炉壁の外側に設けられた支持部材を介して各ドラムに水平方向の引張力又は圧縮力（水平力）となって作用される。
然しながら、各ドラム内には、架橋部材が設けられているので、これらに依り前記水平力が担持され、各ドラムには、水平力が作用しなくなる。
この為、ドラムの厚さを厚くしたり、ドラムの外側に補強板等を設けて補強する必要がなくなる。
【００１０】
支持部材は、炉壁を摺動可能に支持するバックステーと、上下のドラムの間に設けられてバックステーを保持するビームと、各ドラムとビームとの間に設けられた屈折連結具とを備えているのが好ましい。この様にすれば、ボイラの伸縮が許容されると共に、ドラムにモーメントが作用される事がない。
【００１１】
【発明の実施の形態】
以下、本発明の実施の形態を、図面に基づいて説明する。
図１は、本発明の２胴式ボイラの炉壁支持構造を示す正面図。図２は、図１の側面図である。
【００１２】
炉壁支持構造１は、ボイラ２、支持部材３、架橋部材４とからその主要部が構成されている。
【００１３】
ボイラ２は、上下のドラム５とこれらの間に設けられた炉壁６とを有するものである。
ドラム５は、大径の上ドラムとこれより小径の下ドラムとを備えている。下ドラム５の下部には、台座７が設けられて基礎面８上に据付けられている。
炉壁６は、多数の炉壁管に依り形成されている。
【００１４】
支持部材３は、ボイラ２の外側で且つ上下のドラム５に設けられてボイラ２の炉壁６を支持する左右のものである。
支持部材３は、炉壁６を摺動可能に支持するバックステー９と、上下のドラム５間に設けられてバックステー９を保持するビーム１０と、各ドラム５とビーム１０との間に設けられた屈折連結具１１とを備えている。
左右の屈折連結具１１は、各ドラム５の略中心を通る水平線上に対称状に並んでいる。
各屈折連結具１１は、各ドラム５とビーム１０に夫々固定された二つのリンクと、これらを枢結する前後方向のピンとを備えている。
【００１５】
架橋部材４は、左右の支持部材３間で且つ各ドラム５内に設けられた上下のものである。
架橋部材４は、金属製で棒状を呈し、左右の屈折連結具１１と一直線状に並ぶ様に各ドラム５内に配されてその両端をドラム５の内面に溶接する事に依り介設されている。
【００１６】
次に、この様な構成に基づいてその作用を述解する。
ボイラ２の炉壁６には、炉内ガス圧力（正圧又は負圧）が作用され、これは、炉壁６の外側に設けられた支持部材３のバックステー９とビーム１０と屈折連結具１１を介して各ドラム５に水平方向の引張力又は圧縮力（水平力）となって作用される。
然しながら、各ドラム５内には、架橋部材４が設けられているので、これに依り前記水平力が担持され、各ドラム５には、水平力が作用しなくなる。
つまり、ドラム５には、ボイラ２の炉内ガス圧力に依る応力が発生せず、内部流体圧力に依る強度検討だけを行なえば良い事になる。
この為、ドラム５の厚さを厚くしたり、ドラム５の外側に補強板等を設けて補強する必要がなくなる。
【００１７】
支持部材３は、炉壁６を摺動可能に支持するバックステー９を備えているので、ボイラ２の伸縮が許容される。
支持部材３は、各ドラム５とビーム１０との間に設けられた屈折連結具１１を備えているので、ドラム５にモーメントが作用される事がない。
【００１８】
【発明の効果】
以上、既述した如く、本発明に依れば、次の様な優れた効果を奏する事ができる。
（１）  ボイラ、支持部材、架橋部材とで構成し、とりわけ、左右の支持部材間で且つ各ドラム内に架橋部材を設けたので、ドラムの厚さを厚くしたり、ドラムの外側に補強板等を設けて補強する必要がない。
（２）  各ドラム内に架橋部材を設けたので、ボイラの外側に対して何ら影響を与える事がなく、全体が大きくなったり他物に支障を与える事もない。
【図面の簡単な説明】
【図１】本発明の２胴式ボイラの炉壁支持構造を示す正面図。
【図２】図１の側面図。
【図３】従来の２胴式ボイラの炉壁支持構造を示す正面図。
【図４】従来の他の２胴式ボイラの炉壁支持構造を示す正面図。
【符号の説明】
１，５０，６０…炉壁支持構造、２，５３，６３…ボイラ、３，６４…支持部材、４…架橋部材、５，５１，６１…ドラム、６，５２，６２…炉壁、７…台座、８，５４…基礎面、９…バックステー、１０…ビーム、１１…屈折連結具、５５…架構。
【図１】
0003897328.tif 000002
【図２】
0003897328.tif 000003
【図３】
0003897328.tif 000004
【図４】
0003897328.tif 000005